(57)【要約】【課題】良好に水中ポンプの起動試験を行うことが可能な水中ポンプ試験治具及び水中ポンプ試験方法を提供する。【解決手段】水中ポンプ試験治具は、水中ポンプ本体と、水中ポンプ本体にケーブルを介して接続されたフロートスイッチとを有する水中ポンプ装置の起動試験を行うための水中ポンプ試験治具であって、軸部と、軸部に開閉可能に設けられた一対のアームと、一対のアームの対向面にそれぞれ設けられ、対向面と交差する回転軸を中心としてフロートスイッチを揺動可能に把持する一対の把持部と、を有する。【選択図】図３
2020069615.tif 000002
【特許請求の範囲】
【請求項１】
水中ポンプ本体と、前記水中ポンプ本体にケーブルを介して接続されたフロートスイッチとを有する水中ポンプ装置の起動試験を行うための水中ポンプ試験治具であって、
軸部と、
前記軸部に開閉可能に設けられた一対のアームと、
一対の前記アームの対向面にそれぞれ設けられ、前記対向面と交差する回転軸を中心として前記フロートスイッチを揺動可能に把持する一対の把持部と、を有する
水中ポンプ試験治具。
【請求項２】
一対の前記アームにそれぞれ設けられ、一対の前記把持部を回転可能に支持するベアリングを有する
請求項１に記載の水中ポンプ試験治具。
【請求項３】
前記把持部はそれぞれ、
前記ベアリングに連結され、前記対向面と交差する方向に設けられた回転軸部と、
前記回転軸部に接続され前記対向面に対向して設けられ、前記フロートスイッチと当接する当接部と、を有する
請求項２に記載の水中ポンプ試験治具。
【請求項４】
一対の前記把持部が前記フロートスイッチを把持した状態で、前記軸部の高さ位置を変えることにより、前記回転軸を中心として、前記フロートスイッチが揺動する
請求項１から請求項３のいずれか１項に記載の水中ポンプ試験治具。
【請求項５】
軸部と、前記軸部に開閉可能に設けられた一対のアームと、前記一対のアームの対向面にそれぞれ設けられ、ケーブルを介して水中ポンプ本体に接続されたフロートスイッチを揺動可能に把持する一対の把持部と、を有する水中ポンプ試験治具を用いた水中ポンプ試験方法であって、
一対の前記アームを閉じることで、一対の前記把持部の間に前記フロートスイッチを把持するステップと、
一対の前記把持部が前記フロートスイッチを把持した状態で、前記軸部の高さ位置を変更することにより、前記把持部の回転軸を中心として、前記フロートスイッチを揺動させるステップと、を有する
水中ポンプ試験方法。
【発明の詳細な説明】
【技術分野】
【０００１】
本発明は、水中ポンプ試験治具及び水中ポンプ試験方法に関する。
【背景技術】
【０００２】
排水等に用いられる水中ポンプにおいて、液面の変動を検出するフロートスイッチを備えたものが知られている（例えば、特許文献１参照）。フロートスイッチは、ケーブルを介して水中ポンプ本体に接続されており、液面の変動に伴うフロートスイッチの傾きを検出する。水中ポンプは、フロートスイッチの検出結果に基づいて、起動及び停止を切り換える。
【０００３】
水中ポンプは、定期的に起動試験を実施する必要がある。起動試験では、作業者が直接フロートスイッチの傾きを変化させて、水中ポンプが良好に起動するか確認する。
【先行技術文献】
【特許文献】
【０００４】
【特許文献１】特開２０１７−１５０３９９号公報
【特許文献２】特開２０１８−１３６６号公報
【発明の概要】
【発明が解決しようとする課題】
【０００５】
水中ポンプの起動試験では、水中ポンプの設置場所等により大きな制約を受ける。例えば、水中ポンプが地下に設けられた溜枡に設置されている場合や、制御ケーブル等の障害物がある場合には、作業者が水中ポンプの位置まで降りることが困難となる可能性がある。また、高所作業用マジックハンド（例えば、特許文献２参照）を用いた場合でも、フロートスイッチを把持することはできるものの、フロートスイッチの傾きを変化させることは困難である。このため、起動試験を良好に行うことが困難となる可能性がある。
【０００６】
本発明は、上記課題を解決して、良好に水中ポンプの起動試験を行うことが可能な水中ポンプ試験治具及び水中ポンプ試験方法を提供することを目的とする。
【課題を解決するための手段】
【０００７】
本発明の一態様による水中ポンプ試験治具は、水中ポンプ本体と、前記水中ポンプ本体にケーブルを介して接続されたフロートスイッチとを有する水中ポンプ装置の起動試験を行うための水中ポンプ試験治具であって、軸部と、前記軸部に開閉可能に設けられた一対のアームと、一対の前記アームの対向面にそれぞれ設けられ、前記対向面と交差する回転軸を中心として前記フロートスイッチを揺動可能に把持する一対の把持部と、を有する。
【０００８】
これによれば、アームを閉じることで一対の把持部にフロートスイッチを把持することができる。把持部がフロートスイッチを把持した状態で、水中ポンプ試験治具の高さ位置を変化させると、フロートスイッチはケーブルに引っ張られる。そして、フロートスイッチは、把持部の回転軸を中心に揺動し、傾きが変化する。これにより、水中ポンプ試験治具は、良好に水中ポンプの起動試験を行うことができる。
【０００９】
本発明の望ましい態様として、一対の前記アームにそれぞれ設けられ、一対の前記把持部を回転可能に支持するベアリングを有する。これによれば、把持部は、ベアリングによりアームに回転可能に設けられる。
【００１０】
本発明の望ましい態様として、前記把持部はそれぞれ、前記ベアリングに連結され、前記対向面と交差する方向に設けられた回転軸部と、前記回転軸部に接続され前記対向面に対向して設けられ、前記フロートスイッチと当接する当接部と、を有する。これによれば、回転軸部がアームに回転可能に設けられ、当接部が回転軸部とともに回転することができる。
【００１１】
本発明の望ましい態様として、一対の前記把持部が前記フロートスイッチを把持した状態で、前記軸部の高さ位置を変えることにより、前記把持部の回転軸を中心として、前記フロートスイッチが揺動する。これによれば、把持部及びフロートスイッチを揺動させるための駆動機構が不要であり、簡便な構成で起動試験を行うことができる。
【００１２】
本発明の一態様による水中ポンプ試験方法は、軸部と、前記軸部に開閉可能に設けられた一対のアームと、前記一対のアームの対向面にそれぞれ設けられ、ケーブルを介して水中ポンプ本体に接続されたフロートスイッチを揺動可能に把持する一対の把持部と、を有する水中ポンプ試験治具を用いた水中ポンプの試験方法であって、一対の前記アームを閉じることで、一対の前記把持部の間に前記フロートスイッチを把持するステップと、一対の前記把持部が前記フロートスイッチを把持した状態で、前記軸部の高さ位置を変更することにより、前記把持部の回転軸を中心として、前記フロートスイッチを揺動させるステップと、を有する。
【００１３】
これによれば、アームを閉じることで一対の把持部にフロートスイッチを把持することができる。把持部がフロートスイッチを把持した状態で、水中ポンプ試験治具の高さ位置を変化させると、フロートスイッチはケーブルに引っ張られる。そして、フロートスイッチは、把持部の回転軸を中心に揺動し、傾きが変化する。これにより、水中ポンプ試験方法は、良好に水中ポンプの起動試験を行うことができる。
【発明の効果】
【００１４】
本発明の一態様による水中ポンプ試験治具及び水中ポンプ試験方法によれば、良好に水中ポンプの起動試験を行うことが可能である。
【図面の簡単な説明】
【００１５】
【図１】図１は、水中ポンプ装置の構成を説明するための説明図である。
【図２】図２は、実施形態に係る水中ポンプ試験治具の正面図である。
【図３】図３は、一対のアーム及び一対の把持部を拡大して示す正面図である。
【図４】図４は、一対の把持部がフロートスイッチを把持した状態を説明するための側面図である。
【図５】図５は、一対の把持部がフロートスイッチを把持した状態で、水中ポンプ試験治具の高さ位置を変えた場合を説明するための側面図である。
【発明を実施するための形態】
【００１６】
以下、本発明に係る水中ポンプ試験治具及び水中ポンプ試験方法の実施形態について、図面を参照して詳細に説明する。なお、以下の実施形態によりこの発明が限定されるものではない。また、この実施形態の構成要素には、発明の同一性を維持しつつ置換可能かつ置換自明なものが含まれる。また、この実施形態に記載された方法、装置及び変形例は、当業者自明の範囲内にて任意に組み合わせが可能である。
【００１７】
図１は、水中ポンプ装置の構成を説明するための説明図である。図１に示すように、水中ポンプ装置１００は、水中ポンプ本体１０１と、複数のフロートスイッチ３１、３２、３３と、複数のケーブル３４、３５、３６と、フロートスイッチ支持部材１０２と、を有する。
【００１８】
水中ポンプ本体１０１は、ポンプ部６１と、ポンプケーシング６２と、モータ部５１と、モータケーシング５２と、運転制御部５７と、を有する。ポンプケーシング６２は、ポンプ部６１の下部を覆う。水中ポンプ本体１０１は、ポンプ部６１の下部に設けられた脚部６３により支持される。ポンプ部６１は、吸入口６５から排水などを吸引し、吐出口６６から排出管６４に排水などを排出する。
【００１９】
モータ部５１は、ポンプ部６１を駆動する駆動部であり、ポンプ部６１の上方に設けられる。モータケーシング５２は、モータ部５１を覆う。運転制御部５７は、モータ部５１の上方に設けられ、取手部５３付きのカバー部で覆われている。
【００２０】
水中ポンプ装置１００は、例えば、液槽２００の底部に設けられる。水中ポンプ本体１０１は、液槽２００内の汚水、汚物、雑排水などを排水する、いわゆる排水水中ポンプの構成を例示している。水中ポンプ本体１０１の構成は、図１に限定されない。なお、モータ部５１及びポンプ部６１の構成については一般的な排水水中ポンプと同等であり、具体的な説明を省略する。
【００２１】
フロートスイッチ支持部材１０２は、水中ポンプ本体１０１に設けられ、複数のフロートスイッチ３１、３２、３３を支持する。具体的には、フロートスイッチ支持部材１０２は、縦方支持部材７１と、複数の側方支持部材７２、７３、７４とを有する。
【００２２】
縦方支持部材７１は、略長方形状の板部材であり、水中ポンプ装置１００の直立方向に略並行して設置される。縦方支持部材７１は、固定部材５０によりモータケーシング５２の側面に固定され、ねじ５０ａによりねじ止めされる。
【００２３】
複数の側方支持部材７２、側方支持部材７３、側方支持部材７４は、水中ポンプ装置１００の直立方向に沿って、この順で縦方支持部材７１に配置される。複数の側方支持部材７２、７３、７４は、それぞれ縦方支持部材７１と交差する方向に延びる板状の部材である。複数の側方支持部材７２、７３、７４のそれぞれの一端側は、縦方支持部材７１と重なって設けられ、取付部材７５、７６、７７で覆われている。取付部材７５、７６、７７がねじ７５ｂ、７６ｂ、７７ｂによりねじ止めされることで、側方支持部材７２、７３、７４は、縦方支持部材７１に固定される。
【００２４】
側方支持部材７２、７３、７４の水平方向の長さは、互いに異なっている。具体的には、側方支持部材７２、７３、７４は、この順で、水平方向の長さが長く形成される。ただし、側方支持部材７２、７３、７４の水平方向の長さは等しくてもよい。フロートスイッチ支持部材１０２の構成はあくまで一例であり、他の構成であってもよい。例えば、側方支持部材７２、７３、７４と縦方支持部材７１とが一体に形成されていてもよい。また、側方支持部材７２、７３、７４の固定方法は適宜変更できる。
【００２５】
複数のフロートスイッチ３１、３２、３３は、それぞれ複数のケーブル３４、３５、３６を介して水中ポンプ本体１０１に接続される。具体的には、ケーブル３４は、固定部材７２ａ、７５ａにより側方支持部材７２に固定される。ケーブル３５は、固定部材７３ａ、７６ａにより側方支持部材７３に固定される。ケーブル３６は、固定部材７４ａ、７７ａにより側方支持部材７４に固定される。複数のフロートスイッチ３１、３２、３３は、それぞれ側方支持部材７２、７３、７４の他端側（縦方支持部材７１から離れる方向の端部側）において、ケーブル３４、３５、３６の一端側に接続される。ケーブル３４、３５、３６の他端側は、水中ポンプ本体１０１の運転制御部５７に接続される。
【００２６】
側方支持部材７２、７３、７４と水中ポンプ本体１０１との間において、ケーブル３４、３５、３６の余長部分は、バンド部材５４により水中ポンプ本体１０１に固定される。これにより、ケーブル３４、３５、３６の余長部分がフロートスイッチ３１、３２、３３に接触することを抑制できる。
【００２７】
複数のフロートスイッチ３１、３２、３３は、それぞれの固定点から所定の距離を有して配置される。固定点は、複数のケーブル３４、３５、３６が固定部材７２ａ、７３ａ、７４ａで固定された位置である。これにより、複数のフロートスイッチ３１、３２、３３は、それぞれの固定点を中心として、液位に応じて傾く。フロートスイッチ３１、３２、３３が、それぞれ例えば上向きの所定動作角度で傾いた場合に、フロートスイッチ３１、３２、３３のスイッチ部がオンし、下向きの所定動作角度で傾いた場合に、フロートスイッチ３１、３２、３３のスイッチ部がオフする。
【００２８】
フロートスイッチ３１は停止液位Ｌｅを検知する。フロートスイッチ３２は起動液位Ｌｓを検知する。フロートスイッチ３３は警戒液位Ｌａを検知する。フロートスイッチ３１、３２、３３で検知した液位検知信号は、それぞれケーブル３４、３５、３６を介して運転制御部５７に送られる。
【００２９】
運転制御部５７は、フロートスイッチ３２からのオン信号に基づいて、液槽２００内の水が起動液位Ｌｓに達した旨を認識して、ポンプ部６１の運転を開始する。また、運転制御部５７は、フロートスイッチ３１からのオフ信号に基づいて、液槽２００内の水が停止液位Ｌｅに達した旨を認識して、ポンプ部６１の運転を停止する。また、ポンプ部６１が運転中であるにも拘らず、運転制御部５７がフロートスイッチ３３からのオン信号を受信した際には、運転制御部５７は、液槽２００内で異常増水となっている旨を認識して、ポンプ部６１の運転を継続すると共に、例えば警報音を発するようにする。
【００３０】
なお、水中ポンプ装置１００が、３つのフロートスイッチ３１、３２、３３を有する構成について説明したが、これに限定されない。フロートスイッチは、１つ、２つ又は４つ以上設けられていてもよい。
【００３１】
次に、水中ポンプ装置１００の起動試験に用いる水中ポンプ試験治具１について説明する。図２は、実施形態に係る水中ポンプ試験治具の正面図である。図３は、一対のアーム及び一対の把持部を拡大して示す正面図である。
【００３２】
図２に示すように、水中ポンプ試験治具１は、グリップ部１１と、第１軸部１２と、第１アーム１４と、第１把持部１６と、第２軸部１３と、第２アーム１５と、第２把持部１７と、レバー部１９と、を備える。グリップ部１１は、作業者が把持する部材である。第１軸部１２は、グリップ部１１に固定されている。第１アーム１４及び第１把持部１６は、第１軸部１２の先端に固定されている。
【００３３】
第２軸部１３は、レバー部１９を介してグリップ部１１に連結されており、且つ第１軸部１２に平行である。第２アーム１５及び第２把持部１７は、第２軸部１３の先端に固定されており、且つ第１アーム１４に対して回転可能に連結されている。レバー部１９が操作されると、第２軸部１３が移動することにより、第２アーム１５が第１アーム１４に近付くように回転する。水中ポンプ試験治具１は、第２アーム１５及び第１アーム１４を閉じるように動作させることで、第１把持部１６及び第２把持部１７により、フロートスイッチ３１、３２、３３を把持することができる。
【００３４】
第１軸部１２及び第２軸部１３は、液槽２００の上側から、液槽２００の底部側に設けられたフロートスイッチ３１まで届くように十分な長さを有している。また、第１軸部１２及び第２軸部１３は、伸縮可能となっていることがより好ましい。
【００３５】
図３は、第１把持部１６及び第２把持部１７により、フロートスイッチ３２を把持した状態を示す。図３に示すように、第１把持部１６は、第１アーム１４の第１対向面１４ａに設けられ、ベアリング２１により第１アーム１４に回転可能に支持される。第２把持部１７は、第２アーム１５の第２対向面１５ａに設けられ、ベアリング２２により第２アーム１５に回転可能に支持される。
【００３６】
具体的には、ベアリング２１、２２は、例えば、外輪、内輪、及び外輪と内輪との間に設けられたボールを有する転がり軸受である。ベアリング２１は、第１アーム１４の孔部１４ｂに設けられ、外輪が孔部１４ｂの内壁に固定される。ベアリング２２は、第２アーム１５の孔部１５ｂに設けられ、外輪が孔部１５ｂの内壁に固定される。ベアリング２１、２２の回転軸ＡＸは、第１対向面１４ａ及び第２対向面１５ａと交差する。
【００３７】
第１把持部１６は、当接部１６ａと回転軸部１６ｂとを有する。当接部１６ａは、平板状の部材であり、回転軸部１６ｂに接続され第１対向面１４ａに対向して設けられる。回転軸部１６ｂは、ベアリング２１の内輪に連結され、第１対向面１４ａと交差する方向（回転軸ＡＸ方向）に設けられる。同様に、第２把持部１７は、当接部１７ａと回転軸部１７ｂとを有する。当接部１７ａは、平板状の部材であり、回転軸部１７ｂに接続され第２対向面１５ａに対向して設けられる。回転軸部１７ｂは、ベアリング２２の内輪に連結され、第２対向面１５ａと交差する方向（回転軸ＡＸ方向）に設けられる。
【００３８】
このような構成により、第１把持部１６及び第２把持部１７は、それぞれ第１アーム１４及び第２アーム１５に、回転軸ＡＸを回転軸として回転可能に設けられる。フロートスイッチ３２は、当接部１６ａと当接部１７ａとの間に把持された状態で、回転軸ＡＸを中心に揺動できる。
【００３９】
次に、図１から図５を参照しつつ、水中ポンプ装置１００の起動試験方法について説明する。図４は、一対の把持部がフロートスイッチを把持した状態を説明するための側面図である。図５は、一対の把持部がフロートスイッチを把持した状態で、水中ポンプ試験治具の高さ位置を変えた場合を説明するための側面図である。
【００４０】
まず、作業者は、液槽２００（図１参照）の上側から液槽２００の内部に、水中ポンプ試験治具１を延ばす。そして、作業者は、第１アーム１４及び第２アーム１５でフロートスイッチ３２を挟むように水中ポンプ試験治具１の位置決めをする。作業者は、レバー部１９を操作して第１アーム１４及び第２アーム１５を閉じることで、図３に示すように、第１把持部１６と第２把持部１７との間にフロートスイッチ３２を把持する。
【００４１】
図４に示すように、フロートスイッチ３２を把持した状態で、フロートスイッチ３２は、ケーブル３５及び上述した固定点に対して下向きの傾きである。この場合、第１把持部１６（図４では図示しない）及び第２把持部１７の位置も、ケーブル３５及び固定点よりも下側である。すなわち、フロートスイッチ３２のスイッチ部はオフであり、水中ポンプ装置１００は停止状態である。
【００４２】
次に、図１５に示すように、作業者は、第１把持部１６と第２把持部１７がフロートスイッチ３２を把持した状態で、水中ポンプ試験治具１を矢印Ｄ１に示す上側に引き上げる。フロートスイッチ３２はケーブル３５に接続されているため、ケーブル３５に引っ張られて、回転軸ＡＸを中心に矢印Ｄ２に示す方向に揺動する。
【００４３】
これにより、フロートスイッチ３２は、ケーブル３５及び上述した固定点に対して上向きの傾きとなり、第１把持部１６（図４では図示しない）及び第２把持部１７の位置も、ケーブル３５及び固定点よりも上側に位置する。すなわち、フロートスイッチ３２は起動液位Ｌｓよりも上側に配置され、フロートスイッチ３２のスイッチ部はオンになる。これにより、作業者は、フロートスイッチ３２の傾きに応じて水中ポンプ装置１００が起動するかどうかを確認できる。
【００４４】
なお、図４では、フロートスイッチ３２について説明したが、フロートスイッチ３３においても同様の試験方法により、フロートスイッチ３３による警戒液位Ｌａの検知を試験することができる。
【００４５】
また、フロートスイッチ３１については、フロートスイッチ３２がオンの状態で第１把持部１６と第２把持部１７との間にフロートスイッチ３２を把持する。作業者は、第１把持部１６と第２把持部１７がフロートスイッチ３１を把持した状態で、水中ポンプ試験治具１を矢印Ｄ１とは反対側の下側に引き下げる。フロートスイッチ３１はケーブル３４に接続されているため、ケーブル３４に引っ張られて、回転軸ＡＸを中心に矢印Ｄ２とは反対方向に揺動する。
【００４６】
これにより、フロートスイッチ３１は、ケーブル３４及び上述した固定点に対して下向きの傾きとなり、第１把持部１６（図４では図示しない）及び第２把持部１７の位置も、ケーブル３４及び固定点よりも下側に位置する。すなわち、フロートスイッチ３１は停止液位Ｌｅよりも下側に配置され、フロートスイッチ３１のスイッチ部はオフになる。これにより、作業者は、フロートスイッチ３１の傾きに応じて水中ポンプ装置１００が停止するかどうかを確認できる。
【００４７】
以上説明したように、水中ポンプ試験治具１は、水中ポンプ装置１００の起動試験を行うための治具である。水中ポンプ装置１００は、水中ポンプ本体１０１と、水中ポンプ本体１０１にケーブル３４、３５、３６を介して接続されたフロートスイッチ３１、３２、３３とを有する。水中ポンプ試験治具１は、軸部（第１軸部１２及び第２軸部１３）と、軸部に開閉可能に設けられた一対のアーム（第１アーム１４及び第２アーム１５）と、一対の把持部（第１把持部１６及び第２把持部１７）と、を有する。一対の把持部は、一対のアームの対向面（第１対向面１４ａ及び第２対向面１５ａ）にそれぞれ設けられ、対向面と交差する回転軸ＡＸを中心としてフロートスイッチ３１、３２、３３を揺動可能に把持する。
【００４８】
これによれば、第１アーム１４及び第２アーム１５を閉じることで第１把持部１６及び第２把持部１７にフロートスイッチ３１、３２、３３を把持することができる。第１把持部１６及び第２把持部１７がフロートスイッチ３１、３２、３３を把持した状態で、水中ポンプ試験治具１の高さ位置を変化させると、フロートスイッチ３１、３２、３３はケーブル３４、３５、３６に引っ張られる。そして、フロートスイッチ３１、３２、３３は、第１把持部１６及び第２把持部１７の回転軸ＡＸを中心に揺動し、傾きが変化する。これにより、水中ポンプ試験治具１は、良好に水中ポンプ装置１００の起動試験を行うことができる。
【００４９】
水中ポンプ試験治具１を用いることで、液槽２００の深さが深い場合、あるいは液槽２００の内部が狭い場合であっても容易に水中ポンプ装置１００の起動試験を行うことができる。また、作業者が液槽２００内に降りる必要がないため、起動試験における安全性を確保できる。
【００５０】
また、起動試験として、例えば、フロートスイッチ３１、３２、３３に起動試験用のワイヤをあらかじめ接続しておき、液槽２００の上側まで引き出された起動試験用のワイヤを地上から操作する方法が挙げられる。この場合、起動試験用のワイヤでフロートスイッチ３１、３２、３３の傾きを適切に変えることが困難である。また、水中ポンプ装置１００の通常動作時に、ワイヤに障害物が引っかかると液位に関係なくフロートスイッチ３１、３２、３３が傾いてしまい、水中ポンプ装置１００の誤動作が生じる可能性がある。水中ポンプ試験治具１を用いることで、容易にフロートスイッチ３１、３２、３３の傾き角度を変更できるので、良好に水中ポンプ装置１００の起動試験を行うことができる。また、起動試験用のワイヤ等を設ける必要がなく、ワイヤ等との接触を抑制して、フロートスイッチ３１、３２、３３も良好に動作することができる。
【００５１】
また、水中ポンプ試験治具１において、一対のアーム（第１アーム１４及び第２アーム１５）にそれぞれ設けられ、一対の把持部（第１把持部１６及び第２把持部１７）を回転可能に支持するベアリング２１、２２を有する。これによれば、第１把持部１６及び第２把持部１７は、ベアリング２１、２２により、それぞれ第１アーム１４及び第２アーム１５に、回転軸ＡＸを回転軸として回転可能に設けられる。
【００５２】
また、水中ポンプ試験治具１において、把持部（第１把持部１６及び第２把持部１７）はそれぞれ、回転軸部１６ｂ、１７ｂと、当接部１６ａ、１７ａと、を有する。回転軸部１６ｂ、１７ｂは、ベアリング２１、２２に連結され、対向面（第１対向面１４ａ及び第２対向面１５ａ）と交差する方向に設けられる。当接部１６ａ、１７ａは、回転軸部１６ｂ、１７ｂに接続され対向面（第１対向面１４ａ及び第２対向面１５ａ）に対向して設けられ、フロートスイッチ３１、３２、３３と当接する当接部と、を有する。
【００５３】
これによれば、回転軸部１６ｂ、１７ｂが第１アーム１４及び第２アーム１５に回転可能に設けられ、当接部１６ａ、１７ａが回転軸部１６ｂ、１７ｂとともに回転することができる。
【００５４】
また、水中ポンプ試験治具１において、一対の把持部（第１把持部１６及び第２把持部１７）がフロートスイッチ３１、３２、３３を把持した状態で、軸部（第１軸部１２及び第２軸部１３）の高さ位置を変えることにより、把持部（第１把持部１６及び第２把持部１７）の回転軸ＡＸを中心として、フロートスイッチ３１、３２、３３が揺動する。これによれば、把持部（第１把持部１６及び第２把持部１７）及びフロートスイッチ３１、３２、３３を揺動させるための駆動機構（例えば回転モータ等）が不要であり、簡便な構成で起動試験を行うことができる。
【００５５】
また、本実施形態の水中ポンプ試験方法は、一対のアーム（第１アーム１４及び第２アーム１５）を閉じることで、一対の把持部（第１把持部１６及び第２把持部１７）の間にフロートスイッチ３１、３２、３３を把持するステップと、一対の把持部（第１把持部１６及び第２把持部１７）がフロートスイッチ３１、３２、３３を把持した状態で、軸部（第１軸部１２及び第２軸部１３）の高さ位置を変更することにより、把持部（第１把持部１６及び第２把持部１７）の回転軸ＡＸを中心として、フロートスイッチ３１、３２、３３を揺動させるステップと、を有する。
【００５６】
これによれば、第１アーム１４及び第２アーム１５を閉じることで第１把持部１６及び第２把持部１７にフロートスイッチ３１、３２、３３を把持することができる。第１把持部１６及び第２把持部１７がフロートスイッチ３１、３２、３３を把持した状態で、水中ポンプ試験治具１の高さ位置を変化させると、フロートスイッチ３１、３２、３３はケーブル３４、３５、３６に引っ張られる。そして、フロートスイッチ３１、３２、３３は、第１把持部１６及び第２把持部１７の回転軸ＡＸを中心に揺動し、傾きが変化する。これにより、水中ポンプ試験方法は、良好に水中ポンプ装置１００の起動試験を行うことができる。
【００５７】
以上、本発明の実施形態について説明したが、この実施形態の内容によりこの発明が限定されるものではなく、適宜変更することができる。例えば、実施形態では、水中ポンプ試験治具１の形状、寸法等は適宜変更できる。第１把持部１６及び第２把持部１７は、平板状であるが、フロートスイッチ３１、３２、３３の形状に合わせて、湾曲形状を有していてもよい。また、第１アーム１４及び第２アーム１５の形状や、開閉機構も適宜変更してもよい。
【符号の説明】
【００５８】
１  水中ポンプ試験治具
１１  グリップ部
１２  第１軸部
１３  第２軸部
１４  第１アーム
１５  第２アーム
１６  第１把持部
１６ａ、１７ａ  当接部
１６ｂ、１７ｂ  回転軸部
１７  第２把持部
１９  レバー部
３１、３２、３３  フロートスイッチ
３４、３５、３６  ケーブル
５１  モータ部
５７  運転制御部
６１  ポンプ部
６５  吸入口
６６  吐出口
１００  水中ポンプ装置
１０１  水中ポンプ本体
１０２  フロートスイッチ支持部材
【図１】
2020069615.tif 000003
【図２】
2020069615.tif 000004
【図３】
2020069615.tif 000005
【図４】
2020069615.tif 000006
【図５】
2020069615.tif 000007